(57)【要約】【課題】電極を有するラミネートセルを積層して備える電池モジュールにおいて、効率的に充放電に伴う温度上昇を抑制すること。【解決手段】電極１２、１３を有するラミネートセル４と、熱伝導性部材５と、を積層して備え、筐体１６の第１の面９に、前記電極１２、１３と接続する電極端子２、３を備え、前記第１の面９と反対側の面である前記筐体１６の第２の面１０に、前記熱伝導性部材５と接触する熱放出部７を備えることを特徴とする電池モジュール１。【選択図】図３
2015022848.tif 000002
【特許請求の範囲】
【請求項１】
電極を有するラミネートセルと、熱伝導性部材と、を積層して備え、
筐体の第１の面に、前記電極と接続する電極端子を備え、
前記第１の面と反対側の面である前記筐体の第２の面に、前記熱伝導性部材と接触する熱放出部を備えることを特徴とする電池モジュール。
【請求項２】
請求項１に記載の電池モジュールにおいて、
前記熱伝導性部材は、可撓性を有することを特徴とする電池モジュール。
【請求項３】
請求項１又は２に記載の電池モジュールにおいて、
前記熱伝導性部材は、粘着性を有することを特徴とする電池モジュール。
【請求項４】
請求項１から３のいずれか１項に記載の電池モジュールにおいて、
前記熱伝導性部材は、絶縁性であることを特徴とする電池モジュール。
【請求項５】
請求項１から４のいずれか１項に記載の電池モジュールにおいて、
前記熱伝導性部材は、熱伝導率が１．０Ｗ／ｍ・Ｋ以上であることを特徴とする電池モジュール。
【請求項６】
請求項１から５のいずれか１項に記載の電池モジュールにおいて、
前記熱伝導性部材と前記熱放出部とは、面接触していることを特徴とする電池モジュール。
【請求項７】
請求項１から６のいずれか１項に記載の電池モジュールにおいて、
前記熱放出部は、フィン状の金属で構成されていることを特徴とする電池モジュール。
【請求項８】
請求項１から７のいずれか１項に記載の電池モジュールにおいて、
補強部材を備え、
前記ラミネートセルと、前記熱伝導性部材と、前記補強部材と、を積層して備えていることを特徴とする電池モジュール。
【請求項９】
電極を有するラミネートセルと、可撓性を有する熱伝導性部材と、を積層して備え、
筐体の第１の面に、前記電極と接続する電極端子を備え、
前記第１の面と反対側の面である前記筐体の第２の面に、前記熱伝導性部材と接触する熱放出部を備える電池モジュールの製造方法であって、
前記ラミネートセルと前記熱伝導性部材とが積層された積層物を前記第１の面側から前記第２の面側に挿入し、前記熱伝導性部材と前記熱放出部とを面接触させる挿入工程と、を有することを特徴とする電池モジュールの製造方法。
【請求項１０】
電極を有するラミネートセルと、粘着性を有する熱伝導性部材と、を積層して備え、
筐体の第１の面に、前記電極と接続する電極端子を備え、
前記第１の面と反対側の面である前記筐体の第２の面に、前記熱伝導性部材と接触する熱放出部を備える電池モジュールの製造方法であって、
前記ラミネートセルと前記熱伝導性部材とが積層された積層物を前記第１の面側から前記第２の面側に挿入し、前記熱伝導性部材を前記熱放出部に貼り付ける挿入工程と、を有することを特徴とする電池モジュールの製造方法。
【発明の詳細な説明】
【技術分野】
【０００１】
本発明は、電極を有するラミネートセルを積層して備える電池モジュール及び電池モジュールの製造方法に関する。
【背景技術】
【０００２】
従来から、リチウムイオン二次電池等の電池モジュールでは、電池モジュールの充放電に伴って電流が流れると、電池モジュールの内部抵抗に起因する発熱が生じる。この発熱により電池モジュールの温度が上昇するほど、電池モジュールは性能劣化を起こしやすくなる。  
このため、電池モジュールの温度上昇を抑制するために、例えば、特許文献１には、電極端子から絶縁性を有する熱伝導性部材を介して電池容器に熱を伝える缶型の二次電池モジュールが開示されている。
【０００３】
また、例えば、特許文献２及び特許文献３に開示されるように、リチウムイオン二次電池等の電池モジュールとして、電極を有するラミネートセルを積層して備える電池モジュールが使用されている。
【先行技術文献】
【特許文献】
【０００４】
【特許文献１】特開２０１２−１８６１１４号公報
【特許文献２】特開２０１１−１８１３６９号公報
【特許文献３】特開２０１２−２４８３７４号公報
【発明の概要】
【発明が解決しようとする課題】
【０００５】
特許文献２及び特許文献３に開示されるような電極を有するラミネートセルを積層して備える電池モジュールは、積層したラミネートセルが筐体に入れられており、特許文献１に開示されるような缶型の二次電池モジュールとは構成が異なる。一般的に、ラミネートセルを積層して備える構成の電池モジュールにおいては、充放電に伴う温度上昇を抑制するのは困難であった。例えば、このような構成の電池モジュールの温度上昇を抑制するために、特許文献１に開示されるような、電極と接続される電極端子から絶縁性を有する熱伝導性部材を介して電池容器に熱を伝える技術を採用しても、電極と熱伝導性部材との接触面積は小さくなる。このため、電池モジュールの温度上昇を抑制する効果は不十分である。
【０００６】
一方、特許文献３に開示される電池モジュールは、ラミネートセルと金属製の熱伝導板とを交互に積層し、バネ部を介して、熱伝導板から筐体に伝熱可能な構成である。  
ここで、電池モジュールは、複数並べて又は積み重ねて使用される場合があるが、このような場合、一般的に、筐体の電極端子が設けられた面が同じ向きになるように、複数並べ又は積み重ねられる。  
しかしながら、特許文献３に開示される電池モジュールは、筐体の電極端子が設けられた面から見て側面側に伝熱可能な構成であるため、該電池モジュールを筐体の電極端子が設けられた面から見て側面側に複数並べて配置すると、隣接する電池モジュール側に熱が伝わり、熱が籠り易い。すなわち、該電池モジュールは効率的に充放電に伴う温度上昇を抑制することができる構成であるとは言えない。
【０００７】
そこで、本発明の目的は、電極を有するラミネートセルを積層して備える電池モジュールにおいて、効率的に充放電に伴う温度上昇を抑制することである。
【課題を解決するための手段】
【０００８】
上記課題を解決するための本発明の第１の態様に係る電池モジュールは、電極を有するラミネートセルと、熱伝導性部材と、を積層して備え、筐体の第１の面に、前記電極と接続する電極端子を備え、前記第１の面と反対側の面である前記筐体の第２の面に、前記熱伝導性部材と接触する熱放出部を備えることを特徴とする。
【０００９】
ここで、「前記第１の面と反対側の面」とは、前記第１の面と反対側の面であればよく、前記第１の面と平行な面には限定されない意味である。  
本態様によれば、前記第２の面に前記熱伝導性部材と接触する熱放出部を備えるので、前記ラミネートセルの熱を、前記第１の面と反対側の面である前記第２の面の方向への一方向に伝えることができる。このため、前記電池モジュールを筐体の電極端子が設けられた前記第１の面が同じ向きになるように複数並べ又は積み重ねた場合、これら複数の電池モジュールの熱は隣接する電池モジュール側に伝わらず、熱が籠り難い。すなわち、効率的に充放電に伴う温度上昇を抑制することができる。
【００１０】
本発明の第２の態様に係る電池モジュールは、前記第１の態様において、前記熱伝導性部材は、可撓性を有することを特徴とする。
【００１１】
本態様によれば、前記熱伝導性部材は可撓性を有するので、前記熱伝導性部材を前記熱放出部に押し付けるという簡単な方法で、前記熱伝導性部材と前記熱放出部とを面接触させるなど確りと接触させることができ、効率よく充放電に伴う温度上昇を抑制することができる。
【００１２】
本発明の第３の態様に係る電池モジュールは、前記第１又は第２の態様において、前記熱伝導性部材は、粘着性を有することを特徴とする。
【００１３】
ここで、「前記熱伝導性部材は、粘着性を有する」とは、前記熱伝導性部材が粘着性を有する材料を用いて構成される場合のほか、前記熱伝導性部材に粘着性物質を付着させた構成も含む意味である。  
本態様によれば、前記熱伝導性部材は粘着性を有するので、前記熱伝導性部材を前記熱放出部に貼り付けるという簡単な方法で、前記熱伝導性部材と前記熱放出部とを確りと接触させることができ、効率よく充放電に伴う温度上昇を抑制することができる。
【００１４】
本発明の第４の態様に係る電池モジュールは、前記第１から第３のいずれか１つの態様において、前記熱伝導性部材は、絶縁性であることを特徴とする。
【００１５】
本態様によれば、前記熱伝導性部材は絶縁性であるので、熱放出部への予期せぬ電流の発生や隣接セルとの短絡電流の発生を抑制することができる。
【００１６】
本発明の第５の態様に係る電池モジュールは、前記第１から第４のいずれか１つの態様において、前記熱伝導性部材は、熱伝導率が１．０Ｗ／ｍ・Ｋ以上であることを特徴とする。
【００１７】
本態様によれば、前記熱伝導性部材は熱伝導率が１．０Ｗ／ｍ・Ｋ以上であるので、充放電に伴う前記ラミネートセルの熱を効率的に前記熱放出部に伝えることができ、効率よく充放電に伴う温度上昇を抑制することができる。
【００１８】
本発明の第６の態様に係る電池モジュールは、前記第１から第５のいずれか１つの態様において、前記熱伝導性部材と前記熱放出部とは、面接触していることを特徴とする。
【００１９】
本態様によれば、前記熱伝導性部材と前記熱放出部とは面接触しているので、前記熱伝導性部材から前記熱放出部に熱を効率的に伝えることができ、効率よく充放電に伴う温度上昇を抑制することができる。
【００２０】
本発明の第７の態様に係る電池モジュールは、前記第１から第６のいずれか１つの態様において、前記熱放出部は、フィン状の金属で構成されていることを特徴とする。
【００２１】
本態様によれば、前記熱放出部はフィン状の金属で構成されている。このため、前記熱放出部の熱放出効果は高いので、効率よく充放電に伴う温度上昇を抑制することができる。
【００２２】
本発明の第８の態様に係る電池モジュールは、前記第１から第７のいずれか１つの態様において、補強部材を備え、前記ラミネートセルと、前記熱伝導性部材と、前記補強部材と、を積層して備えていることを特徴とする。
【００２３】
ここで、「前記ラミネートセルと、前記熱伝導性部材と、前記補強部材と、を積層して備え」とは、各々が順番に積層される構成のほか、各々が順序不同に積層される構成も含む意味である。  
本態様によれば、補強部材を前記ラミネートセルと積層して備える。このため、前記熱伝導性部材の強度を強くしたうえで前記ラミネートセルに密着させるという高度な技術を採用する必要がなくなるとともに、前記ラミネートセルが過放電または過充電された際の膨張を該補強部材により抑制可能になる。すなわち、低コスト化と、前記ラミネートセルの膨張の抑制及び前記ラミネートセルに対するストレスの抑制と、が可能になる。
【００２４】
本発明の第９の態様に係る電池モジュールの製造方法は、電極を有するラミネートセルと、可撓性を有する熱伝導性部材と、を積層して備え、筐体の第１の面に、前記電極と接続する電極端子を備え、前記第１の面と反対側の面である前記筐体の第２の面に、前記熱伝導性部材と接触する熱放出部を備える電池モジュールの製造方法であって、前記ラミネートセルと前記熱伝導性部材とが積層された積層物を前記第１の面側から前記第２の面側に挿入し、前記熱伝導性部材と前記熱放出部とを面接触させる挿入工程と、を有することを特徴とする。
【００２５】
本態様によれば、前記積層物を挿入するという簡単な方法で、前記熱伝導性部材と前記熱放出部とを面接触させることができ、効率よく充放電に伴う温度上昇を抑制することができる。
【００２６】
本発明の第１０の態様に係る電池モジュールの製造方法は、電極を有するラミネートセルと、粘着性を有する熱伝導性部材と、を積層して備え、筐体の第１の面に、前記電極と接続する電極端子を備え、前記第１の面と反対側の面である前記筐体の第２の面に、前記熱伝導性部材と接触する熱放出部を備える電池モジュールの製造方法であって、前記ラミネートセルと前記熱伝導性部材とが積層された積層物を前記第１の面側から前記第２の面側に挿入し、前記熱伝導性部材を前記熱放出部に貼り付ける挿入工程と、を有することを特徴とする。
【００２７】
本態様によれば、前記積層物を挿入するという簡単な方法で、前記熱伝導性部材と前記熱放出部とを確りと接触させることができ、効率よく充放電に伴う温度上昇を抑制することができる。
【図面の簡単な説明】
【００２８】
【図１】本発明の一実施例に係る電池モジュールの一部切欠きの概略斜視図である。
【図２】本発明の一実施例に係る電池モジュールにおいて筐体の一部を外した状態の該電池モジュールの正面側の部分を表す概略斜視図である。
【図３】本発明の一実施例に係る電池モジュールの背面側の部分を表す概略側断面図である。
【図４】本発明の一実施例に係る電池モジュールの背面側から見た概略断面図である。
【図５】本発明の一実施例に係る電池モジュールと比較例の電池モジュールとの充放電に伴う温度上昇の比較結果を表す図である。
【発明を実施するための形態】
【００２９】
以下に、本発明を実施するための好ましい形態について説明する。  
図１は、本発明の一実施例に係る電池モジュール１の一部切欠きの概略斜視図である。また、図２は、本発明の一実施例に係る電池モジュールにおいて筐体の一部を外した状態の該電池モジュールの正面側の部分を表す概略斜視図である。また、図３は、本発明の一実施例に係る電池モジュールの背面側の部分を表す概略側断面図である。また、図４は、本発明の一実施例に係る電池モジュールの背面側から見た概略断面図である。
【００３０】
図１に示されるように、本実施例の電池モジュール１は、樹脂製の筐体１６で周囲を囲まれており、正極端子２と負極端子３の両方の電極端子を筐体１６の正面側の第１の面１４に有する。また、第１の面１４と反対側の面である筐体１６の第２の面１５に、フィン状の金属で構成される熱放出部７を備えている。なお、本実施例の電池モジュール１における第２の面１５は、第１の面１４と平行であるが、第１の面１４と反対側の面であればよく、第１の面１４と平行な面でなくてもよい。すなわち、第２の面１５は第１の面１４に対して傾いていてもよい。
【００３１】
また、図１及び図２で示されるように、電池モジュール１の内部には、樹脂製のセルケースで構成される補強部材６が複数収容されている。図３及び図４に示されるように、補強部材６は、正極１２及び負極１３の両方の電極を有するラミネートセル４と、熱伝導性部材５と、を積層して備えている。詳細には、図４に示されるように、板状の熱伝導性部材５の表裏両面にラミネートセル４が貼り付けられ、それをセルケースである補強部材６が覆い、ユニット１１を構成している。さらに詳細には、各ラミネートセル４は、上下に隣り合うラミネートセル４と熱伝導性部材５又は補強部材６を介して異なる電極が向かい合うように配置されている。
【００３２】
本実施例の電池モジュール１は、ユニット１１を直列に接続する構成の電池モジュールである。このため、図２で表されるように、電池モジュール１を正面側から見て右側においては、各ユニット１１夫々において正極のタブ１７と負極のタブ１８とが接続されている。そして、電池モジュール１を正面側から見て左側においては、下側に配置されたユニット１１の正極のタブ１７と上側に配置されたユニット１１の負極のタブ１８とが接続されている。図４に示されるように、各ラミネートセル４が上下に隣り合うラミネートセル４と熱伝導性部材５又は補強部材６を介して異なる電極が向かい合うように配置されていることで、正極のタブ１７と負極のタブ１８との接続が容易になっている。ただし、このような構成には限定されない。
【００３３】
ここで、本実施例の熱伝導性部材５は絶縁性である。なお、熱伝導性部材５は、絶縁性のラミネートセル４の外装（ラミネートフィルム部分）と接するため、絶縁性でなくてもよいが、絶縁性であることが好ましい。例えば、ラミネートセル４が破損した場合等、熱放出部７への予期せぬ電流の発生や隣接するラミネートセル４との短絡電流の発生を抑制することができるためである。
【００３４】
また、本実施例の熱伝導性部材５は可撓性を有する。このため、熱伝導性部材５を熱放出部７に押し付けるという簡単な方法で、図３で示されるように、熱伝導性部材５と熱放出部７とを面接触させることができ、効率よく充放電に伴う温度上昇を抑制することができる。
【００３５】
また、本実施例の熱伝導性部材５は粘着性を有する。このため、熱伝導性部材５を熱放出部７に貼り付けるという簡単な方法で、熱伝導性部材５と熱放出部７とを確りと接触させることができ、効率よく充放電に伴う温度上昇を抑制することができる。なお、「熱伝導性部材５は粘着性を有する」とは、熱伝導性部材５が粘着性を有する材料を用いて構成される場合も含むが、ここでは、熱伝導性部材５に粘着性物質を付着させた構成である。  
ただし、熱伝導性部材５はこのようなものに限定されない。
【００３６】
また、熱伝導性部材５は、熱伝導率が１．０Ｗ／ｍ・Ｋ以上であることが好ましく、さらに、２．０Ｗ／ｍ・Ｋ以上であることが好ましい。充放電に伴うラミネートセル４の熱を効率的に熱放出部７に伝えることができ、効率よく充放電に伴う温度上昇を抑制することができるためである。熱伝導性部材５の好ましい構成材料は、例えば、アクリル系熱伝導部材、シリコン系熱伝導部材等が挙げられる。具体的には、例えば、ＫＩＴＡＧＡＷＡ  ＩＮＤＵＳＴＲＩＥＳ  ＣＯ．，ＬＴＤ．製のクールプロバイド（熱伝導率：２．０Ｗ／ｍ・Ｋ）、竹内工業株式会社製のＴＭＳ−２２（熱伝導率：２．２Ｗ／ｍ・Ｋ）、株式会社タイカ製のラムダゲルＣＯＨシリーズ（熱伝導率：１．０〜２．１Ｗ／ｍ・Ｋ）等が挙げられるがこれらに限定されない。
【００３７】
また、本実施例の電池モジュール１における熱伝導性部材５は可撓性を有し粘着性を有するため、図３に示されるように熱伝導性部材５は熱放出部７に確りと面接触で貼り付けられている。さらに、図２の方向Ａにユニット１１を挿入することにより、簡単に、熱伝導性部材５を熱放出部７に、面接触状態にして貼り付けて、確り接触させることができる。  
すなわち、電極１２、１３を有するラミネートセル４と、可撓性を有する熱伝導性部材５と、を積層して備え、筐体１６の第１の面１４に、電極１２、１３と接続する電極端子２、３を備え、第１の面１４と反対側の面である筐体１６の第２の面１５に、熱伝導性部材５と接触する熱放出部７を備える電池モジュール１を、ラミネートセル４と熱伝導性部材５とが積層された積層物を第１の面１４側から第２の面１５側に挿入し、熱伝導性部材５と熱放出部７とを面接触させることにより製造が可能である。  
また、電極１２、１３を有するラミネートセル４と、粘着性を有する熱伝導性部材５と、を積層して備え、筐体１６の第１の面１４に、電極１２、１３と接続する電極端子２、３を備え、第１の面１４と反対側の面である筐体１６の第２の面１５に、熱伝導性部材５と接触する熱放出部７を備える電池モジュール１を、ラミネートセル４と熱伝導性部材５とが積層された積層物を第１の面１４側から第２の面１５側に挿入し、熱伝導性部材５を熱放出部７に貼り付けることにより製造が可能である。
【００３８】
また、図２で示されるように、補強部材６にはスリット状の溝１０が設けられており、詳細には、補強部材６の上下の面に夫々３ヶ所のスリット状の溝１０が設けられている。このような構成となっていることにより、補強部材６の内部であるセルケース内に熱が籠ることを抑制するとともに、補強部材６はラミネートセル４が過放電または過充電された際の膨張を一定量許容しつつ抑制することができる。  
ラミネートセル４が過放電または過充電された際には、ガスがラミネートセル４の内部に溜まって圧力が加わり、外側から強い圧力を受けるとラミネートセル４が破裂する虞がある。しかしながら、本実施例の補強部材６は、溝１０による該補強部材６の一定量の歪みを許容することで外側から強い圧力をラミネートセル４に与えることを抑制し、ラミネートセル４の破裂を抑制しつつ膨張も抑制することを可能にしている。
【００３９】
なお、本実施例の補強部材６にはスリット状の溝１０が設けられている。しかしながら、スリット状の溝１０ではなく、例えば、補強部材６に円形や矩形等の孔部を設けることによって、補強部材６の一定量の歪みを許容することで外側から強い圧力をラミネートセル４に与えることを抑制し、ラミネートセル４の破裂を抑制しつつ膨張も抑制してもよい。
【００４０】
また、本実施例のユニット１１は、図２及び図４に示されるように、筐体１６の内側面に設けられた突起部８により、ユニット１１同士が接触しないように空間９を介して電池モジュール１に収容されている。このように空間９が設けられていることにより、ラミネートセル４の破裂を抑制しつつ膨張も抑制することを効果的に達成できる。膨張したユニット１１同士の干渉を抑制できるためである。ただしこのような構成に限定されない。なお、突起部８は、電池モジュール１の両方の側面に、短い突起と長い突起とが上下方向に交互に形成されることによって構成されている。そして、短い突起はユニット１１の左右方向の動きを規制する役割をし、長い突起はユニット１１の上下方向の動きを規制する役割とともにユニット１１同士の干渉を抑制するための空間９を形成する役割をしている。  
なお、気流を発生可能なファン等を別途電池モジュール１に設けることにより、空間９を空気の流路とし、ユニット１１を冷却することが可能な構成としてもよい。
【００４１】
また、図１で示されるように、本実施例の電池モジュール１は、電極端子を筐体１６の第１の面１４に有し、第１の面１４と反対側の第２の面１５に、フィン状の金属で構成される熱放出部７を備えているため、ラミネートセル４の熱を、第２の面１５の方向への一方向に伝えることができる。このため、電池モジュール１を筐体１６の電極端子が設けられた第１の面１４が同じ向きになるように複数並べ又は積み重ねた場合、これら複数の電池モジュール１の熱は隣接する電池モジュール４側に伝わらず、熱が籠り難い。すなわち、効率的に充放電に伴う温度上昇を抑制することができる。
【００４２】
なお、ラミネートセル４の熱伝導性部材５に対する接触面積は広い方が効率よく充放電に伴う温度上昇を抑制することができるため好ましい。特に、ラミネートセル４における熱伝導性部材５と対向する側の面の面積の７０％以上の面積となるように、ラミネートセル４と熱伝導性部材５とが面接触している構成が好ましい。
【００４３】
本実施例の熱放出部７は、フィン状であるとともにアルミニウムで構成されており、熱放出効果が高い。このため、効率よく充放電に伴う温度上昇を抑制することができる。ただし、このような形状及び構成材料に限定されない。熱放出部７の好ましい構成材料としては、例えば、アルミニウム、黒色アルマイト、銅等が挙げられる。
【００４４】
また、本実施例の正極端子２及び負極端子３は平板状であり、ラミネートセル４を薄く構成できるため該ラミネートセル４を積層し易い。ただし、このような構成に限定されない。  
なお、正極端子２は、アルミニウム等で構成されていることが好ましい。導電効果が高いためである。ただし、このような構成材料に限定されない。  
一方、負極端子３は、ニッケルメッキ銅等で構成されていることが好ましい。導電効果が高いためである。ただし、このような構成材料に限定されない。
【００４５】
また、図３及び図４で示されるように、本実施例の電池モジュール１は、補強部材６、ラミネートセル４、熱伝導性部材５、ラミネートセル４、補強部材６の順に上下方向に積層されるユニット１１を複数収容して構成される。ただし、このような構成に限定されず、例えば、ユニット１１における補強部材６を用いる代わりに熱伝導性部材５として強度が強いものを用いて、ラミネートセル４と熱伝導性部材５とからなるユニットを複数積層する構成としてもよい。  
しかしながら、本実施例の電池モジュール１のように、補強部材６を備え、ラミネートセル４と、熱伝導性部材５と、補強部材６と、を積層して備える構成が好ましい。このような構成は、補強部材６を備えるので、熱伝導性部材５の強度を強くしたうえでラミネートセル４に密着させるという高度な技術を採用する必要がなくなるとともに、ラミネートセル４が過放電または過充電された際の膨張を該補強部材６により抑制可能になるためである。すなわち、低コスト化と、ラミネートセル４の膨張の抑制及びラミネートセル４に対するストレスの抑制と、が可能になるためである。  
また、補強部材６、ラミネートセル４、熱伝導性部材５が規則性なく積層される構成でもよい。
【００４６】
次に、本実施例の電池モジュール１の充放電に伴う温度上昇を抑制する効果について説明する。  
図５は、本実施例の電池モジュール１と、比較例としての熱伝導性部材を有しない従来の電池モジュールと、の充放電に伴う温度上昇の比較結果を表す図である。  
なお、比較例の電池モジュールは、熱伝導性部材を有しないこと以外は本実施例の電池モジュール１と同様の構成である。
【００４７】
ここで、図５は、横軸が経過時間（分）、縦軸が電池モジュールの上昇温度（℃）を表している。詳細には、本実施例の電池モジュール１及び比較例の電池モジュールを、経過時間が２０分まで充電させ、その後経過時間が１２０分まで放電させ、その後経過時間が１４０分まで充電させた際の夫々の電池モジュールの上昇温度（℃）を表している。  
図５で表されるように、本実施例の電池モジュール１は、比較例の電池モジュールと比較して、明らかに充放電に伴う温度上昇を抑制できている。
【符号の説明】
【００４８】
１  電池モジュール、２  正極端子、３  負極端子、４  ラミネートセル、
５  熱伝導性部材、６  補強部材、７  熱放出部、８  突起部、９  空間、１０  溝、
１１  ユニット、１２  正極、１３  負極、１４  電池モジュール１の第１の面、
１５  電池モジュール１の第２の面、１６  筐体、１７  正極のタブ、１８  負極のタブ
【図１】
2015022848.tif 000003
【図２】
2015022848.tif 000004
【図３】
2015022848.tif 000005
【図４】
2015022848.tif 000006
【図５】
2015022848.tif 000007